(57)【要約】【課題】ヒータ部の温度を周辺の温度に応じて変化させ、テープの熱接着を行う。【解決手段】ヒータ部２０の温度を検出する温度検出部を有し、ヒータ部２０の周辺の温度に対応するヒータ部２０の温度上昇率及びヒータ部２０でテープ２を押圧して熱接着を行うのに必要な温度を記憶部に記憶し、ヒータ部２０の加熱を開始した際に温度検出部によって検出した温度から温度上昇率を算出し、その温度上昇率に対応するヒータ部２０の周辺の温度を記憶部から読み出すと共に、そのヒータ部２０周辺の温度に対応する熱接着に必要な温度を読み出し、その読み出した熱接着に必要な温度となるまでヒータ部２０を加熱する。【選択図】図１
2010163170.tif 000002
【特許請求の範囲】
【請求項１】
複数枚の媒体にテープを巻き付けて、そのテープ同士が重なる箇所にヒータ部を押圧することで、テープを熱接着して媒体を結束する媒体結束装置において、
前記ヒータ部の温度を検出する検出部を有し、
前記ヒータ部周辺の温度に対応する前記ヒータ部の温度上昇率及び前記ヒータ部が熱接着に必要な温度を記憶する記憶手段を備え、
前記ヒータ部の加熱を開始した際に、前記検出部によって検出した温度から温度上昇率を算出し、その温度上昇率に対応するヒータ部周辺の温度を前記記憶手段から読み出すと共に、そのヒータ部周辺の温度に対応する前記熱接着に必要な温度を読み出し、その読み出した熱接着に必要な温度となるまで前記ヒータ部を加熱することを特徴とする媒体結束装置。
【請求項２】
請求項１に記載の媒体結束装置において、
前記ヒータ部が所定の時間で加熱とその加熱の停止とを交互に繰り返し、予め設定された設定温度を保つ温度制御を実行する機能を有し、
ヒータ部周辺の温度に応じた前記温度制御における前記ヒータ部の加熱とその加熱の停止による温度の上下幅を前記記憶手段に記憶し、
温度制御を行っているとき、前記ヒータ部の加熱によって上がった温度と、加熱を停止したことで下がった温度とを前記検出部で検出すると共に、その検出した２つの温度から温度の上下幅を取得し、該上下幅に対応するヒータ部周辺の温度を前記記憶手段から読み出すと共に、該ヒータ部周辺の温度に対応する前記熱接着に必要な温度を読み出し、前記設定温度を前記熱接着に必要な温度に変えることを特徴とする媒体結束装置。
【請求項３】
請求項１に記載の媒体結束装置において、
予め設定された設定温度を中心とする上限温度と下限温度とを定めて、前記ヒータ部を上限温度となったときに加熱を止め、下限温度となってから再び加熱する動作を繰り返し行う温度制御を実行する機能を有し、
温度制御で前記ヒータ部が上限温度から下限温度となり次に上限温度となるまでを１周期として、
ヒータ部周辺の温度ごとの１周期にかかる時間を前記記憶手段に記憶し、
温度制御を行っているとき、前記１周期にかかる時間に対応するヒータ部周辺の温度を前記記憶手段から読み出すと共に、該ヒータ部周辺の温度に対応する前記熱接着に必要な温度を読み出し、前記設定温度を前記熱接着に必要な温度に変えることを特徴とする媒体結束装置。
【請求項４】
請求項１に記載の媒体結束装置において、
予め設定された設定温度を中心とする上限温度と下限温度とを定めて、前記ヒータ部を上限温度となったときに加熱を止め、下限温度となってから再び加熱する動作を繰り返し行う温度制御を実行する機能を有し、
ヒータ部周辺の温度ごとの前記上限温度から前記下限温度となるまでの温度変化の割合を前記記憶手段に記憶し、
温度制御を行っているとき、前記検出部によって上限温度を検出した時間と下限温度を検出した時間とにより温度変化の割合を特定し、その温度変化の割合に対応するヒータ部周辺の温度を前記記憶手段から読み出すと共に、該ヒータ部周辺の温度に対応する前記熱接着に必要な温度を読み出し、前記設定温度を前記熱接着に必要な温度に変えることを特徴とする媒体結束装置。
【請求項５】
請求項１〜請求項３または請求項４に記載の媒体結束装置において、
ヒータ部周辺の温度に対応するヒータ部の押圧時間を前記記憶手段に記憶し、
前記記憶手段からヒータ部周辺の温度を読み出した際に、そのヒータ部周辺の温度に対応する押圧時間を前記記憶手段から読み出しておき、
媒体に巻き付けたテープを前記ヒータ部で押圧する際、前記読み出した押圧時間で押圧することを特徴とする媒体結束装置。
【発明の詳細な説明】
【技術分野】
【０００１】
本発明は、現金処理機で計数された一定枚数の紙幣等の媒体をテープで結束する媒体結束装置に関する。
【背景技術】
【０００２】
従来の媒体結束装置は、紙幣束に対するテープの巻き付けを収納部から繰出されたテープを搬送手段を遮るように上方へ引き上げるキャッチと、引き上げられたテープの先端を紙幣束の後端面に沿って下方に折り曲げる上スプーンと、下方に折り曲げられたテープをさらに紙幣束の下面に沿って折り曲げる下スプーンとで行って、テープの端部同士が重なり合うようになり、その重なっている部分に押圧部を押し付けると共に加熱して接着している（例えば、特許文献１参照。）。
【特許文献１】特開２０００−１９０９１３号公報（段落「０１１６」−段落「０１１９」）
【発明の開示】
【発明が解決しようとする課題】
【０００３】
しかしながら、上述した従来の技術においては、押圧部の加熱の強さは予め係員により設定された強さとなっているために、装置自身で周りの環境に応じた強さとすることができない、そのため周囲の温度環境によっては押圧部の加熱が弱いと押し付けたテープの接着具合が弱くなってしまう等、温度環境によって紙幣束に巻き付けるテープの接着具合にばらつきが生じてしまうという問題がある。
【０００４】
本発明は、上記の問題点を解決するための手段を提供することを目的とする。
【課題を解決するための手段】
【０００５】
本発明は、上記課題を解決するために、複数枚の媒体にテープを巻き付けて、そのテープ同士が重なる箇所にヒータ部を押圧することで、テープを熱接着して媒体を結束する媒体結束装置において、前記ヒータ部の温度を検出する検出部を有し、前記ヒータ部周辺の温度に対応する前記ヒータ部の温度上昇率及び前記ヒータ部が熱接着に必要な温度を記憶する記憶手段を備え、前記ヒータ部の加熱を開始した際に、前記検出部によって検出した温度から温度上昇率を算出し、その温度上昇率に対応するヒータ部周辺の温度を前記記憶手段から読み出すと共に、そのヒータ部周辺の温度に対応する前記熱接着に必要な温度を読み出し、その読み出した熱接着に必要な温度となるまで前記ヒータ部を加熱することを特徴とする。
【発明の効果】
【０００６】
これにより、本発明は、ヒータ部周辺の温度に応じてテープを押圧するヒータ部の温度を変えていくことができるので、どのような環境でも安定してテープの熱接着を行うことができるという効果が得られる。
【図面の簡単な説明】
【０００７】
【図１】実施例１の媒体結束装置を示す概略側面図
【図２】テープ巻き付け部を示す斜視図
【図３】ヒータ部を示す説明図
【図４】実施例１の媒体結束装置のブロック図
【図５】ヒータブロックの温度と加熱時間との関係を示す説明図
【図６】挟持部材でテープを挟持する様子を示す説明図
【図７】紙幣束が送り込まれてきたときの様子を示す説明図
【図８】紙幣束の搬送を停止したときの様子を示す説明図
【図９】紙幣束にテープを巻き付けた様子を示す説明図
【図１０】実施例２における一定温度制御時の温度と時間の関係を示す説明図
【図１１】実施例３における一定温度制御時の温度と時間の関係を示す説明図
【図１２】実施例４における一定温度制御時の温度と時間の関係を示す説明図
【発明を実施するための最良の形態】
【０００８】
以下に、図面を参照して本発明による媒体結束装置の実施例について説明する。
【実施例１】
【０００９】
図１は実施例１の媒体結束装置を示す概略側面図である。
なお、本発明の媒体結束装置は図示しない現金処理機内に設けられているものとする。
図１において、１は紙帯ロールであり、紙等を素材としたテープ２を巻き付けており、直径方向が水平になるように寝かせて配置されている。
３は供給ローラ部であり、テープ２の送り経路に沿って配置されており、紙帯ロール１から引き出されたテープ２が図示しないガイドにより上方に導かれて、テープ２の面が水平となるようにローラ３ａとローラ３ｂ間で保持し、送り経路に沿うローラ３ｂより下流側に配置されるローラ３ｃとローラ３ｄ間でテープ２を斜め上方へと送るようになっている。
【００１０】
４はローラ３ａ、３ｂ間に配置されており、テープ２の表面に印字を施す印字部、５はテープ２の先端を挟持する一対のローラからなり後述するテープ巻き付け部１１にテープ２を案内するガイドローラ部、６はローラ３ａとガイドローラ５との間でテープ２を切断するように配置されたカッターである。
８は下部搬送ベルト、９は上部搬送ベルトであり、それぞれ複数のローラにより支持されており、テープ２による施封を行う媒体（以後、紙幣束とする。）の図示しない搬送経路に沿って配置されている。
【００１１】
この下部搬送ベルト８と上部搬送ベルト９によって紙幣束を挟持して搬送する搬送手段が構成され、上部搬送ベルト９は図示しない回動手段によって支点ローラ１０を中心に上下方向に回動可能に構成される。
１１はテープ巻き付け部であり、テープ２を挟持するための２枚の挟持部材を有しており、下部搬送ベルト８と上部搬送ベルト９から構成される搬送手段によって挟持搬送されてきた紙幣束にテープ２を巻き付ける。
【００１２】
ここで図２はテープ巻き付け部を示す斜視図である。
図２に示すようにテープ巻き付け部１１は、挟持部材１２、１３とによりなり、挟持部材１２、１３の各基部には円盤状等の支持板１２ａ、１３ａがほぼ直角に起立するように形成される。
挟持部材１２の支持板１２ａは筒状の外軸１４に固定され、この外軸は図示しないフレームに設けた支持穴に挿通されている。
【００１３】
一方、挟持部材１３の支持板１３ａは図示しない中心軸に固定されていて、外軸１４が図示しない回転手段により回転することで挟持部材１２は矢印Ａ、Ｂ方向に回動し、これにより挟持部材１２、１３は開閉するものとなっている。
また、挟持部材１３が図示しない回転手段により外軸１４と同時に矢印Ｂ方向に１回転円運動するとき、挟持部材１２も挟持部材１３と共に矢印Ｂ方向に円運動するものとなっている。
【００１４】
図１において、２０はヒータ部でありテープ巻き付け部１１の下方に設けられ、紙幣束に巻き付けられたテープ２同士が重なり合う箇所に当接するように上昇可能に構成されている。
ここで、図３はヒータ部を示す説明図である。
図３において、２１はヒータブロックであり、ヒータ部２０を構成する外枠にむきだしの状態で配され、熱源となるヒータ２２から熱が伝達するように構成され、テープ２同士を接着する際のヒータ部２０の上昇時にテープ２に当接するようになる。
【００１５】
２３は温度検出部であり、ヒータブロック２１の温度を検出する機能を有している。
図４は実施例１の媒体結束装置のブロック図である。
図４において、２５は制御部であり、記憶部２６に格納された制御プログラムに従って各部の動作を制御する。
また、制御部２５は、下部搬送ベルト８と上部搬送ベルト９との間に紙幣束が搬送されてくるのに合わせてヒータ部２０のヒータ２２を加熱してヒータ部２０を搬送されてきた紙幣束に巻き付けたテープ２に押圧させるが、一旦ヒータ２２を加熱してからは、ヒータ２２の加熱と加熱停止を交互に繰り返してヒータブロック２１を予め係員によって設定された温度に保つ一定温度制御を行うと共に、一定温度制御の状態が所定時間（例えば、５分間とする。）継続しても新たな紙幣束が搬送されてこないときに、ヒータ２２の加熱を止めることで、ヒータ部２０を待機状態にする。
【００１６】
２６は記憶部であり、制御プログラムを格納する他、制御部２５による処理結果等を記憶する。
ここで、図５はヒータブロックの温度と加熱時間との関係を示す説明図であって、縦軸を温度、横軸を時間とし、ヒータ部２０の周辺の温度（雰囲気温度という。）に応じた温度上昇率を示すグラフを３つの雰囲気温度に対応させて３種類のグラフ５１、５２、５３で示したもので、各グラフ５１、５２、５３はヒータブロック２１が温度Ｔ０から所定の温度Ｔ１となるまでヒータ２２による加熱を行ったとき様子を示す。
【００１７】
グラフ５１、５２、５３は、雰囲気温度の順に並べると５１＞５２＞５３とする関係となっている。
温度上昇率は図５の各グラフ５１、５２、５３の傾きで示すことができ、図５に示すようにその雰囲気温度が高いときはグラフ５１に示す傾きから温度上昇率は大きくなり、雰囲気温度が小さいときはグラフ５３に示す傾きから温度上昇率は小さくなることは明確である。
【００１８】
そのため、本実施例の記憶部２６には、予め雰囲気温度ごとに実測された温度上昇率により構成されたヒートブロック２１の温度上昇率のテーブルが格納されている。
さらに、記憶部２６は、後述するヒータブロック２１がテープ２を押圧してテープ２に付着する糊を溶かして熱接着するのに必要な温度とそのときの雰囲気温度との関係を示すテーブルを格納している。
【００１９】
３０は媒体結束装置が設けられている紙幣処理機であり、紙幣の入出金処理を行うために必要な鑑別部や収納部等を備えると共に、ＬＣＤ等の表示部３１と、テンキーや表示部３１上に配されたタッチパネル等の係員が媒体結束装置への指示入力を行う入力手段としての入力部３２を有している。
ここで、紙幣束にテープ２を巻き付ける際の動作を説明する。
【００２０】
なお、以下の動作は制御部２５が行う各部の制御によって実行される動作である。
図６は挟持部材でテープを挟持する様子を示す説明図であり、（ａ）はテープを挟持する直前の状態、（ｂ）は挟持した状態を示す。
供給ローラ部３によってテープ２が送り経路に沿って供給されていくと、そのテープ２の先端部がガイドローラ部５に挟持されて更にガイドローラ部５の回転によりテープ２の先端はテープ巻き付け部１１に向かって送られる。
【００２１】
このときテープ巻き付け部１１は、挟持部材１２、１３が共に下方に降りた位置から挟持部材１２だけを矢印Ａ方向に回動させることで図６（ａ）に示すように挟持部材１２、１３が開いた状態で待機して、テープ２の先端部が挟持部材１２、１３間に進入すると、挟持部材１２を矢印Ｂ方向に回動させることで挟持部材１２、１３が図６（ｂ）に示すように閉じてテープ２の先端部を挟持する。
【００２２】
続いて供給ローラ部３によってテープ２を供給しながら、挟持部材１２、１３を時計回り（図２の矢印Ｂ方向）に略半回転、つまり約１８０度回転させることで、テープ２が後述する紙幣束が搬送されてきたときの搬送経路を遮るようにする。
図７は紙幣束が送り込まれてきたときの様子を示す説明図であり、図８は紙幣束の搬送を停止したときの様子を示す説明図である。
【００２３】
図示しない手段によって紙幣束が下部搬送ベルト８と上部搬送ベルト９の間に送り込まれてくると、図７に示すように上部搬送ベルト９は支点ローラ１０を中心に矢印Ｃで示す下方に回動することによって下部搬送ベルト８との間に紙幣束を挟持する。
その後、下部搬送ベルト８と上部搬送ベルト９を図示しない駆動源の駆動によって回転させ、紙幣束を図７に示す矢印Ｄ方向に搬送する。その際紙幣束は前端で搬送経路を遮っているテープ２を押し込み、このとき供給ローラ部３の各ローラ３ａ〜３ｄの回転によりテープ２の供給が行われることで、テープ２は紙幣束の上下を覆うように引き出される。
【００２４】
搬送される紙幣束が所定位置まできたことを図示しない位置確認センサによって検知すると図８に示すような状態となって、下部搬送ベルト８と上部搬送ベルト９は紙幣束の搬送を停止する。
続いてローラ３ａ〜３ｃの回転によりテープ２を供給しながら、挟持部材１２、１３を時計回りにもう半回転するようにテープ巻き付け部１１を回動させると、テープ巻き付け部１１に挟持されているテープ２は紙幣束の後端上方から紙幣束の後端側の前記搬送経路を横切って、紙幣束の後端下方に回り込むようになる。
【００２５】
図９は紙幣束にテープを巻き付けた様子を示す説明図である。
これによって、紙幣束の後端部がテープ２で囲まれて、その後供給ローラ部３によりテープ２を送り出しながら、下部搬送ベルト８と上部搬送ベルト９を図示しない駆動源の駆動によって紙幣を進入してきた方向と逆方向に搬送するように回転すると、図９に示すように紙幣束にテープ２を巻き付けた状態となり、このような方法によって紙幣束にテープ２を巻き付ける。
【００２６】
そして、ヒータ部２０を上昇させて、テープ２の重なり合った部分の下方からヒータブロック２１を１秒程度押圧することでテープ２に塗布されている糊を溶かしてテープ２を熱接着する。
上述した構成におけるヒータ部の動作、特にヒータ２２による加熱を開始する際の動作について説明する。
【００２７】
制御部２５は、紙幣束にテープ２を巻き付ける処理を行う前、例えば媒体結束装置に電源が投入された直後にヒータ２２による加熱を行って、ヒータブロック２１がテープ２同士の接着に必要な設定温度まで上昇するまでの加熱時間を測定し、その測定した加熱時間に基づく温度上昇率を算出し、算出した温度上昇率を記憶部２６に記憶しておく。
制御部２５による温度上昇率の算出について、図５のグラフ５２に基づいて以下に示す。
【００２８】
制御部２５は、ある温度Ｔ０からテープ２同士を接着する際に必要な設定温度Ｔ１までにかかる加熱時間ｔ１を計測し、その際の温度上昇率は図５のグラフ５２のＴ０からＴ１までの傾きａとなるため、その傾きａは、
ａ＝（Ｔ１−Ｔ０）／ｔ１
で算出できる。
【００２９】
制御部２５は、上記のようにして算出した傾きａつまり、温度上昇率を記憶部２６に記憶すると共に、その温度上昇率をもとに記憶している温度上昇率のテーブルを検索し、当該温度上昇率に対応する雰囲気温度を特定する。
制御部２５は、特定した雰囲気温度をもとに記憶部２６に記憶しているテープ２に付着する糊を溶かすのに最適な温度と雰囲気温度との関係を示すテーブルから該当する雰囲気温度での熱接着するのに必要な温度を読み出すと共に、その読み出した温度に到達するまでヒータ２２でヒータブロック２１を加熱する。
【００３０】
以上説明したように、本実施例は、ヒータによる加熱を開始してからのヒータブロックの温度上昇率をもとに雰囲気温度を特定し、その雰囲気温度に対応してテープの糊を溶かして熱接着するのに必要な温度となるようにヒータブロックを加熱するので、雰囲気温度の変化に追従するようにテープの接着を安定して行うことができる。
また、従来の構成に少なくとも温度検出部を備えていることが必要であり、従来の構成とほぼ同じ構成で本実施例の効果を得ることができるので、安価に実現することが可能である。
【００３１】
なお、上記実施例１においては、温度上昇率をある温度Ｔ０から設定温度Ｔ１まで時間ｔ１をもとに算出したが、もっと瞬間的な温度の変化とその時間から温度上昇率を算出するようにしてもよい。
【実施例２】
【００３２】
本実施例の媒体結束装置は、その構成は上記実施例１の構成と同様であるが、ヒータ部２０の一定温度制御時での雰囲気温度の特定を行う動作である点が相違する。
ここでは、一定温度制御を行う制御部２５は、ヒータ部２０のヒータ２２を一定時間（例えば、１秒）ごとに所定の間隔で加熱と加熱停止を繰り返しヒータブロック２１が予め設定された温度を保つようにしている。
【００３３】
なお、このとき制御部２５は温度検出部２３によってヒータブロック２１の温度を検出していき、加熱を止めたときの温度と加熱を開始したときの温度との中間の温度が、一定温度制御において予め設定された温度となるように、ヒータ２２の加熱の強さを調整しているものとする。
図１０は実施例２における一定温度制御時の温度と時間の関係を示す説明図である。
【００３４】
図１０に示すグラフ６１、６２、６３は一定温度制御時のヒータブロック２１の温度変化の様子を示す。
グラフ６１、６２、６３は、雰囲気温度の順に並べると６１＞６２＞６３となる関係となっている。
図１０に示すように、一定温度制御において、ヒータ２２による加熱とその加熱の停止によるヒータブロック２１の温度の上下幅、つまり各グラフ６１、６２、６３の振幅は雰囲気温度に応じて異なる。
【００３５】
グラフ６１の振幅δＴＨとグラフ６２の振幅δＴとを比較すると、図１０に示すように振幅δＴＨ＜振幅δＴであることは明確であり、グラフ６２の振幅δＴとグラフ６３の振幅δＴＬとを比較すると、図１０に示すように振幅δＴ＜振幅δＴＬであることは明確である。
このように雰囲気温度が高いときよりも低いときの方が、振幅が大きくなることが明かである。そこで本実施例の記憶部２６には予め雰囲気温度ごとに一定温度制御における振幅の大きさにより構成された一定温度制御の振幅と雰囲気温度との関係を示すテーブルが格納されている。
【００３６】
制御部２５は、一定温度制御を実行している最中に、温度検出部２３によって一定温度制御中に上下するヒータブロック２１の温度の最大値と最小値を検出し、その最大値と最小値との差、つまり上記した振幅を算出する。
制御部２５は、算出した振幅を基に記憶部２６に記憶している一定温度制御の振幅と雰囲気温度との関係を示すテーブルから、該当する振幅の雰囲気温度を読み出すことで、雰囲気温度を認識する。
【００３７】
制御部２５は、記憶部２６に記憶している上記実施例１のテープ２に付着する糊を溶かして熱接着するのに必要な温度と雰囲気温度との関係を示すテーブルから前記認識した雰囲気温度に対して最適な温度を読み出すと共に、ヒータブロック２１が読み出した温度となるようにヒータ２２を加熱する。
以上説明したように、本実施例では、上記実施例１の効果に加えて、一定温度制御時にヒータブロック２１の温度を調整してそのときの雰囲気温度に対する熱接着に必要な温度となるようにヒータ部を加熱するので、一定温度制御のときに搬送されてくる紙幣束に巻き付けるテープの接着を安定して行うことができる。
【実施例３】
【００３８】
本実施例の媒体結束装置は、その構成は上記実施例１の構成と同様であるが、ヒータ部２０の一定温度制御時での雰囲気温度の特定を行う動作である点が相違する。
ここでは、一定温度制御を行う制御部２５は、ヒータブロック２１の予め定められている一定温度制御の設定温度を中心温度とする上限温度と下限温度とを定めて上限温度となるまで加熱し、上限温度となったら加熱を止めて下限温度まで下がったときに再び上限温度まで加熱する処理を繰り返すようにしている。
【００３９】
図１１は実施例３における一定温度制御時の温度と時間の関係を示す説明図である。
図１１に示すグラフ７１、７２、７３は一定温度制御時のヒータブロック２１の温度変化の様子を示しており、グラフ７１、７２、７３は、雰囲気温度の順に並べると７１＞７２＞７３とする関係となっている。
ここで、ヒータ２２の加熱を開始してその加熱を停止し、再度加熱を開始するまでを１周期とした場合に、その１周期分の時間を図１１に示すようにグラフ７１において１周期にかかる時間をδｔＨ、グラフ７２において１周期にかかる時間をδｔ、グラフ７３において１周期にかかる時間をδｔＬとして示すと、δｔＨよりもδｔの方が長く、δｔよりもδｔＬの方が長いことが図１１からも明らかである。
【００４０】
このように雰囲気温度が高いときよりも低いときの方が、１周期にかかる時間が長くなることが明らかである。そこで本実施例の記憶部２６には雰囲気温度ごとの一定温度制御における１周期にかかる時間の実測値からなる、１周期の時間と雰囲気温度との関係を示すテーブルが格納されている。
制御部２５は、一定温度制御を実行している最中に、図示しない時計機能によって１周期にかかる時間を計測し、その計測した時間をもとに記憶部２６に記憶している１周期の時間と雰囲気温度との関係を示すテーブルから該当する雰囲気温度を読み出すことで、現在の雰囲気温度を認識する。
【００４１】
制御部２５は、記憶部２６に記憶している上記実施例１のテープ２に付着する糊を溶かすのに最適な温度と雰囲気温度との関係を示すテーブルから前記認識した雰囲気温度に対して最適な温度を読み出すと共に、その最適な温度を上述した一定温度制御における設定温度としてその設定を変更し、ヒータブロック２１が当該設定温度となるようにヒータ２２を加熱する。
【００４２】
以上説明したように、本実施例では、上記実施例１の効果に加えて、一定温度制御時にヒータブロック２１の温度を調整してそのときの雰囲気温度に対する熱接着に必要な温度となるようにヒータ部を加熱するので、雰囲気温度の変化に追従するようにテープの接着を安定して行うことができる。一定温度制御のときに搬送されてくる紙幣束に巻き付けるテープの接着を安定して行うことができる。
【実施例４】
【００４３】
本実施例の構成は上記実施例３と同様であるが、上記実施例３は１周期にかかる時間をもとに雰囲気温度を認識するのに対して、前記一定温度制御において上限温度と下限温度間での温度変化をもとに、雰囲気温度を認識する点が相違する。
図１２は実施例４における一定温度制御時の温度と時間の関係を示す説明図である。
なお、本実施例４の一定温度制御は上記実施例３における制御と同様のものである。
【００４４】
ここで、一定温度制御時に増減する温度の変化の傾きを、例えば図１２のグラフ７２から算出する場合、上限温度Ｔｘ１に達した時間ｔ１から下限温度Ｔｘ２に達した時間ｔ２を用いると、温度の変化の割合ａは、
ａ＝（Ｔｘ１−Ｔｘ２）／（ｔ２−ｔ１）
と表わすことができる。
【００４５】
ここで、変化の割合ａを算出する式の（Ｔｘ１−Ｔｘ２）の部分は上述したように上限温度と下限温度との差であるため定まった値であるが、（ｔ２−ｔ１）の部分は上限温度と下限温度との時間間隔であり、この間隔は図１２に示すように雰囲気温度によって異なり、雰囲気温度が高い場合はグラフ７１から分かるように間隔が短いのに対して、雰囲気温度が低い場合はグラフ７３から分かるように間隔は長くなる。
【００４６】
そのため、温度の変化の割合は雰囲気温度が高いと大きくなるのに対し、雰囲気温度が低いと小さくなることは明確となる。
このことを利用し、本実施例の記憶部２６には雰囲気温度と各雰囲気温度に応じた一定温度制御における温度変化の割合とからなる、温度変化の割合と雰囲気温度との関係を示すテーブルが格納されている。
【００４７】
制御部２５は、一定温度制御を実行している最中に、温度検出部２３で上限温度を検出してから下限温度を検出するまでの時間を計測すると共に、計測した時間と上限温度、下限温度とを用いて上述した温度変化の割合を算出して特定する。
そして、制御部２５は、算出した温度変化の割合をもとに記憶部２６に記憶している温度変化の割合と雰囲気温度との関係を示すテーブルから該当する雰囲気温度を読み出すことで、現在の雰囲気温度を認識する。
【００４８】
以上説明したように、本実施例は、一定温度制御を実行中の上限温度から下限温度への温度変化の割合をもとに雰囲気温度を認識するので、上記実施例３と同様の効果を得ることができる。
【実施例５】
【００４９】
本実施例の構成は上記各実施例と同様であるが、ヒータ部２０をテープ２に押圧する時間を雰囲気温度に応じて変えていく点が相違する。
本実施例の記憶部２６は、雰囲気温度ごとのヒータ部２０によるテープ２の押圧時間に関するテーブルを格納している。
このテーブルによる押圧時間は、例えば雰囲気温度が３０℃以下で、かつ２５℃以上の範囲内の場合は１秒であって、雰囲気温度が２５℃未満で、かつ１０℃以上であるような場合には１．３秒等とするように定められている。
【００５０】
制御部２５は、上記実施例１のように紙幣束に巻き付けられたテープ２をヒータ部２０で押圧するときは、そのときの温度上昇率から特定した雰囲気温度に応じた押圧時間を記憶部２６から読み出し、その押圧時間に従ってヒータ部２０でテープ２を押圧する。
また、制御部２５は、一定温度制御の場合は上記実施例２、３、４で示す方法により特定した雰囲気温度に応じた押圧時間を読み出しておき、一定温度制御を実行している間に紙幣束が搬送されてきたときに、その紙幣束にテープ２を巻き付けるとともに読み出した押圧時間に従ってヒータ部２０でテープ２を押圧する。
【００５１】
以上説明したように、本実施例は、雰囲気温度が低いときにはヒータ部でテープを押圧する時間を延ばすので、よりテープ同士が重なり合う箇所の接着を安定して行うことができると共に、上記各実施例と組み合わせることで、上記各実施例の効果に加え、より安定してテープを熱接着させることができる。
なお、上記各実施例においては、記憶部から雰囲気温度を読み出した際に、その雰囲気温度を紙幣処理機３０の表示部３１に表示するようにして、紙幣処理機を扱う係員に雰囲気温度を報知するようにしてもよい。
【００５２】
また紙幣処理機３０の入力部３２からヒータブロック２１の温度を変更させる入力操作を行えるようにしてもよく、例えば係員に雰囲気温度を報知した後、係員から入力部３２によって雰囲気温度に応じて任意にヒータブロック２１の温度を変更入力があったときは、その係員から入力された内容に従うようにする。
【符号の説明】
【００５３】
１    紙帯ロール
２    テープ
３    供給ローラ部
３ａ、３ｂ、３ｃ、３ｄ  ローラ
４    印字部
５    ガイドローラ部  
６    カッター
８    下部搬送ベルト
９    上部搬送ベルト
１１  テープ巻き付け部
１２、１３  挟持部材
１２ａ、１３ａ  支持板
１４  外軸
２０  ヒータ部
２１  ヒータブロック
２２  ヒータ
２３  温度検出部
２５  制御部
２６  記憶部
３０  紙幣処理機
３１  表示部
３２  入力部
【図１】
2010163170.tif 000003
【図２】
2010163170.tif 000004
【図３】
2010163170.tif 000005
【図４】
2010163170.tif 000006
【図５】
2010163170.tif 000007
【図６】
2010163170.tif 000008
【図７】
2010163170.tif 000009
【図８】
2010163170.tif 000010
【図９】
2010163170.tif 000011
【図１０】
2010163170.tif 000012
【図１１】
2010163170.tif 000013
【図１２】
2010163170.tif 000014